(57)【要約】【課題】被搬送物自体にキャスター等の自走行可能の走行部材を有する場合、前記キャスターを利用して被搬送物を押して、或いは引いて移動する際に、被搬送物の転倒を生じさせず搬送を行うことの出来る移動補助装置を得る。【解決手段】キャスター等の走行手段を有する被搬送物を、前記走行手段を用いて移動する際、転倒を防止しつつ移動する装置であって、被搬送物をその外部から支える被搬送物保持手段に、キャスター等の走行手段を設け、被搬送物保持手段に設けた最前部と最後部とのキャスター間隔を、被搬送物に設けた最前部と最後部とのキャスター間隔より大とし、被搬送物保持手段に設けた両側端部のキャスター間隔を、被搬送物に設けた両側端部のキャスター間隔より大とした。また、被搬送物保持手段は、先端部分が開いた平面視コ字形をなしコ字形の内部を被搬送物保持空間とし、先端の開放部分にはラッシングベルト等の緊締帯を有している。【選択図】図１
0003119788.tif 000002
【実用新案登録請求の範囲】
【請求項１】
キャスター等の走行手段を有する被搬送物を、前記走行手段を用いて移動する際、転倒を防止しつつ移動する装置であって、被搬送物をその周囲から支える被搬送物保持手段に、キャスター等の走行手段を設け、被搬送物保持手段に設けた最前部と最後部とのキャスター間隔を、被搬送物に設けた最前部と最後部とのキャスター間隔より大とし、被搬送物保持手段に設けた両側端部のキャスター間隔を、被搬送物に設けた両側端部のキャスター間隔より大としたことを特徴とする転倒防止移動補助装置。
【請求項２】
被搬送物保持手段は、先端部分が開いた平面視コ字形をなしコ字形の内部を被搬送物保持空間としたことを特徴とする請求項１記載の転倒防止移動補助装置。
【請求項３】
被搬送物保持手段は、先端の開放部分にはラッシングベルト等の緊締帯を有していることを特徴とする請求項２記載の転倒防止移動補助装置。
【考案の詳細な説明】
【技術分野】
【０００１】
本考案は、キャスター等の自走走行手段を有する被搬送物を、自走走行させつつ移動搬送する際に、被搬送物を転倒させることなく安全に移動するための補助装置に関する。
【背景技術】
【０００２】
被搬送物を人手によって搬送する場合、搬送物を台車等に一旦乗せて台車等を移動するのが普通であり、或いは台車等に乗せるまでもなく、吊るした状態或るいはボンベ等の大型容器にあっては被搬送物をその両側からかかえる状態で持ち上げ、下部を支持体で支えて台車で移動することもある（特許文献１）。
【０００３】
然し、普通には被搬送物自体は梱包されておりその移動に被搬送物自体を自走させて移動することはあまり行なわれてはいないが、被搬送物自体に、設置時の利便性を考慮してキャスター等の移動具が設けられているものにあっては、その設置場所の近くにまでは車載状態で搬入しても、車から下ろした後は、被搬送物自体のキャスターを利用し人手によって押し運ぶことが行われている。然し、この場合、キャスターは特に常時移動するために設けられているものではなく、単に極めて小範囲の移動のために設けられているものであるため、機能的には完全を期し難く、手押し搬入手段を講じた場合、搬入する場所の例えば床面がフラットな状態の場合であればともかく、小さな凹凸でも有るとキャスターがそれに引掛かり被搬送物の進行を止め、或いはキャスターの向きが進行方向と交差する向きに変動し、そのときに押圧力を受けることで被搬送物を転倒させるというような事態を生じている。
【特許文献１】実開平３−１０７３８０号公報
【考案の開示】
【考案が解決しようとする課題】
【０００４】
本考案は上記の点に鑑みて、被搬送物自体にキャスター等の自走行可能の走行部材を有する場合、前記キャスターを利用して被搬送物を押して、或いは引いて移動する際に、被搬送物の転倒を生じさせず搬送を行うことの出来る移動補助装置を得ることを目的とする。
【課題を解決するための手段】
【０００５】
請求項１記載の考案にあっては、キャスター等の走行手段を有する被搬送物を、前記走行手段を用いて移動する際、転倒を防止しつつ移動する装置であって、被搬送物をその周囲から支える被搬送物保持手段に、キャスター等の走行手段を設け、被搬送物保持手段に設けた最前部と最後部とのキャスター間隔を、被搬送物に設けた最前部と最後部とのキャスター間隔より大とし、被搬送物保持手段に設けた両側端部のキャスター間隔を、被搬送物に設けた両側端部のキャスター間隔より大とした。
請求項２記載の考案にあっては、請求項１記載の転倒防止移動補助装置において被搬送物保持手段を、先端部分が開いた平面視コ字形をなしコ字形の内部を被搬送物保持空間としている。
請求項３記載の考案にあっては、請求項２記載の転倒防止移動補助装置において、被搬送物保持手段の先端の開放部分には、ラッシングベルト等の緊締帯を有している。
【考案の効果】
【０００６】
本考案転倒防止移動補助装置は、キャスター等の走行手段を有する被搬送物を被搬送物保持手段で囲い、該転倒防止移動装置を手押等により移動することで被搬送物を運ぶことが出来るが、転倒防止移動装置に設けたキャスター等の走行手段は、最前位置に設けたものと最後位置に設けたものとの間隔及び左右両側端位置に設けたものの間隔を、被搬送物に設けた走行手段の最前位置に設けたものと最後位置に設けたものとの間隔及び左右両端位置に設けたものの間隔より大としているために、前記キャスターを結ぶ線で囲まれた範囲の面積は、被搬送物のキャスターで囲われた範囲の面積より拡大され、搬送中に被搬送物に予期しない力が加わって被搬送物を転倒しようとしても、被搬送物の重心位置が前記拡大された面積から外れることはなく、搬送中の被搬送物の転倒を防止することが出来る。
【０００７】
また、本考案転倒防止移動補助装置にあっては、被搬送物がキャスター等の走行手段を有していれば、それを利用して移動することが出来るために、被搬送物を持ち上げて台車に乗せる等の作業を行う必要が全く無いため、そのための装置を必要とせずに重量の有るものも移動することが出来る。
【考案を実施するための最良の形態】
【０００８】
本考案転倒防止移動補助装置１の実施の形態を次に図面と共に説明する。
転倒防止移動補助装置１は、床枠２上に被搬送物保持手段３を支持してなり、床枠２は平面視前方が開いたＨ字形をなし角パイプを溶接してなる。床枠２には垂直に縦柱４，４…を設け、その基部には三角形の補強板５，５…を床枠２との間に設けている。縦柱４，４…の頂部には平面視コ字形の上部枠６を有している。上部枠６と床枠２との間には正面部を除いて化粧板７が張り廻され、被搬送物保持手段３は前面開口部３ａを開いた平面視倒コ字形をなしている。平面視Ｈ地をなす床枠２の下面４隅には走行手段として図示の例ではキャスター８ａ，８ｂ，８ｃ，８ｄが設けてある。
上部枠６の上面には把手９，１０を、上部枠６の側面には把手１１を設け開口部前面の縦柱４ａ，４ｂの間にはラッシングベルト等の緊締用バンド１２を設ける。
【０００９】
次に、本考案転倒防止移動補助装置１により被搬送物２０を移動する手法につき説明する。  被搬送物２０は、例えば銀行等に設置されているＡＴＭ機、自動販売機、その他の主として直方体よりなるもので、その横断面形状が、被搬送物保持手段３の横断面における内面形状にほぼ等しいものが好ましい。従って、特定の断面形状をした被搬送物専用の移動装置として、予め被搬送物保持手段３の形状を決定しておく。
【００１０】
搬送に際しては、床面上に置かれている被搬送物２０に転倒防止移動装置１を接近させ、コ字状に前面の開口部３ａを開いている被搬送物保持手段３で被搬送物２０の三面を囲む。このときもし、被搬送物保持手段３と被搬送物２０との間に隙間等が多く生ずるようなことがあればその間を適宜クッション材等１３を挟み込む。そして、コ字状の前面開口３ａの両側の縦柱４ａ，４ｂ間にラッシングベルト等の緊締用バンド１２を掛け渡す。上記により被搬送物２０の転倒防止移動装置１への固定が終了する。
【００１１】
次に作業員が転倒防止移動装置１を移動するが、二人が共同して作業を行うのが好ましく、一人が把手９或いは１０を持ち、進行方向の前方で転倒防止移動装置１を誘導しながら引き出し、他の一人が把手１０或いは９と把手１１を持ち、転倒防止移動装置１を所定の位置まで押して移動する。勿論、上記作業を一人の作業員が行なうことも出来る。このとき被搬送物２０は自己の有するキャスター等の移動手段２０ａの回転で床面上を移動する。この移動の途中において、被搬送物２０のキャスター２０ａが何等かの原因で停止する等のトラブルが生じ、被搬送物２０がよろけ或いは重心位置を大きく変化するような事態が生じても、被搬送物保持手段３に設けた左右側端部のキャスター８ａと８ｄ間、８ｂと８ｃ間の長さＬは、被搬送物２０の左右側端部のキャスター２１ａと２１ｄ間、２１ｂと２１ｃの長さＬ´より大きく、被搬送物保持手段３に設けた前後側のキャスター８ａと８ｂ間、８ｄと８ｃ間の長さＷは、被搬送物２０の前後側キャスター２１ａと２１ｂｂの間、２１ｄと２１ｃの間の長さＷ´より大きくなる。
【００１２】
被搬送物が転倒するときは、その重心を通る垂直線が、前記被搬送物を支持するキャスターで囲われた範囲外に出るときであって、上記の如く被搬送物保持手段３のキャスター８ａ，８ｂ，８ｃ，８ｄにより囲われた範囲が被搬送物２０のキャスター２１ａ，２１ｂ，２１ｃ，２１ｄで囲われた範囲より大きくなると、被搬送物の重心を通る垂直線がキャスター８ａ，８ｂ，８ｃ，８ｄの囲む範囲から外に出ることは無くなり、被搬送物は転倒せず、安全に搬送することが出来る。即ち、被搬送物の有するキャスターにより作られる床面の範囲内から被搬送物重心を通る垂直線が外れることを防止し、被搬送物の転倒を防止することを可能にしている。
【産業上の利用可能性】
【００１３】
本考案、転倒防止移動補助装置は、被搬送物自体にキャスター等の移動手段が設けられている場合に直ちに使用可能であるが、被搬送物自体にキャスター等の移動手段が設けられていない場合には、当該被搬送物を、別途、キャスター等を有している台車に載置した上で本考案転倒防止移動補助装置を使用すればキャスター等の移動手段等を有しない被搬送物にも適用することが可能となる。
【図面の簡単な説明】
【００１４】
【図１】本考案装置の右側面図。
【図２】本考案装置の平面図。
【図３】本考案装置の正面図。
【図４】本考案装置の背面図。
【符号の説明】
【００１５】
１  転倒防止移動補助装置
２  床枠
３  被搬送物保持手段
３ａ  開口部
４，４ａ，４ｂ  縦柱
５  補強板
６  上部枠
７  化粧板
８ａ，８ｂ，８ｃ，８ｄ  移動手段（キャスター）
９，１０，１１  把手
１２  緊締用バンド
１３  クッション材
２０  被搬送物
２１ａ，２１ｂ，２１ｃ，２１ｄ  キャスター
【図１】
0003119788.tif 000003
【図２】
0003119788.tif 000004
【図３】
0003119788.tif 000005
【図４】
0003119788.tif 000006